(57)【要約】【課題】安定した品質でグラデーションが施された模型部品及びその製造方法を提供する。【解決手段】  第１の色の第１の材料で形成された第１の層と、前記第１の層の少なくとも一部を覆うように形成された第２の層であって、前記第１の色とは異なる第２の色の第２の材料からなる第２の層とを有する模型部品であって、前記第２の層は、前記第１の層が視認される第１の部分と、前記第１の部分と連続し前記第１の層が視認されない第２の部分とを含むように構成される。【選択図】図１
2020082527.tif 000002
【特許請求の範囲】
【請求項１】
第１の色の第１の材料で形成された第１の層と、
前記第１の層の少なくとも一部を覆うように形成された第２の層であって、前記第１の色とは異なる第２の色の第２の材料からなる第２の層と
を有する模型部品であって、
前記第２の層は、前記第１の層が視認される第１の部分と、前記第１の部分と連続し前記第１の層が視認されない第２の部分とを含むように構成される、模型部品。
【請求項２】
前記第２の層は、第１の部分において厚みが異なる部分を含む、請求項１に記載の模型部品。
【請求項３】
前記第１の色の透明度は前記第２の色の透明度よりも低いことを特徴とする請求項１または２に記載の模型部品。
【請求項４】
前記第２の色は半透明であることを特徴とする請求項３に記載の模型部品。
【請求項５】
前記第１の色は不透明であり、前記第２の色は半透明であることを特徴とする請求項３に記載の模型部品。
【請求項６】
前記第１の色は半透明であり、前記第２の色は半透明であることを特徴とする請求項３に記載の模型部品。
【請求項７】
前記第１の層は、前記第１の材料で形成された第１のランナーと接続され、前記第１のランナーは前記模型部品が他の模型部品と組み合わされて完成品を構成する場合に、前記他の模型部品との接続部材として用いられることを特徴とする請求項１から６のいずれか1項に記載の模型部品。
【請求項８】
前記接続部材として用いられる前記第１のランナーは、前記第２の層の表面に露出していることを特徴とする請求項７に記載の模型部品。
【請求項９】
前記第１の材料はポリスチレン（ＰＳ）であって、前記第２の材料は汎用ポリスチレン（ＧＰＰＳ）である、請求項１から８のいずれか１項に記載の模型部品。
【請求項１０】
模型部品の製造方法であって、
第１の色の第１の材料を用いて第１の層を成形する第１の工程と、
前記第１の層の少なくとも一部を覆うように前記第１の色とは異なる第２の色の第２の材料を用いて第２の層を成形する第２の工程と、
前記第１の層の、前記第２の層が成形された面の反対側の面の少なくとも一部を覆うように、前記第２の色の第２の材料を用いて第３の層を成形する第３の工程と
を含み、
前記第２の工程では、前記第１の層の前記反対側の面が支持された状態で前記第２の層が成形され、
前記第３の工程では、前記第２の層が支持された状態で前記第３の層が成形され、
前記第２の層及び前記第３の層の少なくともいずれかは、前記第１の層が視認される第１の部分と、前記第１の部分と連続し前記第１の層が視認されない第２の部分とを含むように成形される、模型部品の製造方法。
【請求項１１】
前記第２の工程では、前記第１の工程において前記第１の層を成形するために使用された成形型を用いて前記第１の層の前記反対側の面が支持され、
前記第３の工程では、前記第２の工程において前記第２の層を成形するために使用された成形型を用いて前記第２の層が支持される、請求項１０に記載の模型部品の製造方法。
【発明の詳細な説明】
【技術分野】
【０００１】
本発明は、模型部品及び模型部品の製造方法に関する。
【背景技術】
【０００２】
いわゆるプラモデル（登録商標）と呼ばれるような組み立て模型の部品（パーツとも言う）、例えば、玩具の顔に着色する際は、一か所一か所、人の手で色を塗ったり、彩色個所に開口部が設けられたマスクを利用してスプレーで塗装したりすることが行われている（特許文献１を参照）。また、複数の印刷機とコンベアを備えた彩色装置を利用して塗装を自動化したものも提案されている（特許文献２を参照）。
【先行技術文献】
【特許文献】
【０００３】
【特許文献１】実公平3-34226号公報
【特許文献２】特開平8-47585号公報
【発明の概要】
【発明が解決しようとする課題】
【０００４】
しかしながら、色が段階的に濃くなっていくようなグラデーションを施すには技量が必要であり、品質を安定させるのは困難である。また、塗装用の彩色装置を用いる場合、追加の設備投資や、設備が大型化するという問題もある。
【０００５】
そこで、本発明は、安定した品質でグラデーションが施された模型部品及びその製造方法を提供することを目的とする。
【課題を解決するための手段】
【０００６】
模型部品の発明は、
第１の色の第１の材料で形成された第１の層と、
前記第１の層の少なくとも一部を覆うように形成された第２の層であって、前記第１の色とは異なる第２の色の第２の材料からなる第２の層と
を有し、
前記第２の層は、前記第１の層が視認される第１の部分と、前記第１の部分と連続し前記第１の層が視認されない第２の部分とを含むように構成される。
【０００７】
模型部品の製造方法の発明は、
第１の色の第１の材料を用いて第１の層を成形する第１の工程と、
前記第１の層の少なくとも一部を覆うように前記第１の色とは異なる第２の色の第２の材料を用いて第２の層を成形する第２の工程と、
前記第１の層の、前記第２の層が成形された面の反対側の面の少なくとも一部を覆うように、前記第２の色の第２の材料を用いて第３の層を成形する第３の工程と
を含み、
前記第２の工程では、前記第１の層の前記反対側の面が支持された状態で前記第２の層が成形され、
前記第３の工程では、前記第２の層が支持された状態で前記第３の層が成形され、
前記第２の層及び前記第３の層の少なくともいずれかは、前記第１の層が視認される第１の部分と、前記第１の部分と連続し前記第１の層が視認されない第２の部分とを含むように成形される。
【発明の効果】
【０００８】
本発明によれば、安定した品質でグラデーションが施された模型部品及びその製造方法を提供することができる。
【図面の簡単な説明】
【０００９】
【図１】発明の実施形態に対応する模型部品の製造方法の一例を示すフローチャートである。
【図２】発明の実施形態に対応する模型部品の製造方法に従って作製される成形物を説明するための図である。
【図３】発明の実施形態に対応する模型部品の構造を説明するための図である。
【図４】発明の実施形態に対応する模型部品の断面構造を説明するための図である。
【発明を実施するための形態】
【００１０】
以下、発明の例示的な実施形態について図面を参照して説明する。なお、各図において、同じ参照符号は、同じ要素を示している。また、各図において、紙面における上下左右方向を、本実施形態における部品（またはパーツ）の上下左右方向として、本文中の説明の際に用いることとする。なお本発明は、以下に説明する実施形態おいて成形材料としてポリスチレンを例示するがこれに限定されず、他の材質（ポリエチレン、ＡＢＳ等の熱可塑性樹脂、熱硬化性樹脂、金属等）の利用を排除するものではない。
【００１１】
まず、発明の実施形態に対応する模型部品の製造方法を、図１のフローチャートに従って説明する。Ｓ１０１では、模型部品の骨格部分を構成する１次成形層を形成するための１次成形を行う。１次成形層の成形材料（素材）としては、不透明のポリスチレン（ＰＳ）または強化ポリスチレン（KPS）を使用することができる。次に、S１０２では、１次成形層の表面に、１次成形層の半面を覆うように2次成形層を形成するための2次成形を行う。２次成形層の成形材料としては例えば透明または半透明の汎用ポリスチレン（GPPS）を使用することができる。続くS１０３では、１次成形層の表面の残りの部分に、１次成形層を覆うように３次成形層を形成するための３次成形を行う。２次成形層及び３次成形層は模型部品の外側表面（外皮部）を形成することになるが、２次成形層と３次成形層との厚みに応じて、下側に形成された１次成形層の色が透ける程度が異なるように形成されている。
【００１２】
上記の工程において、１次成形層を構成する成形材料は不透明の色（例えば、青、緑、その他の色、例えば、ソリッドカラー、メタリックカラー、パールカラー等）、或いは、透明（半透明を含む）の色（例えば、青、緑、その他の色）を有する一方、２次成形層及び３次成形層の成形材料は、透明または半透明の色を有する。例えば、模型部品が人形の髪の毛のパーツを構成する場合に、表面を構成する２次成形層及び３次成形層はクリアホワイト（半透明の白色）であるのに対して、１次成形層は濃い青、あるいは、濃い緑色などとすることができる。２次成形層及び3次成形層の色と１次成形層の色とは同系色であってもよいし、互いに類似色や反対色であってもよい。本実施形態では、このように１次成形層と、２次成形層及び3次成形層とを異なる色の成形材料で形成し、かつ、２次成形層及び3次成形層をクリア素材、或いは、半透明の素材を使用して形成することで、その下にある色の異なる１次成形層が透けて見えるようにすることで、グラデーションを表現可能にする。
【００１３】
また、各成形層の成形材料の材質については、１次成形層、2次成形層及び3次成形層を互いに結合させて一体化させるため、共通の材質とすることができる。上記の例ではＰＳ、KPS、GPPSの性質の違いはあれど、ポリスチレンとして共通の材料を用いている。ポリスチレン以外にも、例えばABS樹脂やポリエチレン（PE）等を共通に用いてもよい。また、一部の層に異なる材質の素材を用いてもよい。
【００１４】
上記の３段階の成形工程からなる模型部品の製造方法は、例えば多色成形装置を用いて実施することができる。各成形工程では、その工程に対応する成形型を使用する。具体的には、成形型のランナー溝や各部品を成形するための成形空間（キャビティ）に成形材料を流入させて成形物を形成し、冷却した後に成形型から成形物が取り出される。１次成形、２次成形で作製された成形物については、それぞれ次の成形工程の成形型に取り付けられて、２次成形あるいは３次成形が実行される。多色成形装置を用いた成形方法そのものは公知であるため、より詳細な説明は省略する。
【００１５】
また、上記においては１次成形層を１回の成形工程の実施により成形する場合を説明したが、成型しようとする１次成形層の厚みに応じて、１次成形層を分割し１次成形を２回実施してもよい。この場合、実施される成形工程は４段階となる。１次成形層を２回に分けて成形することにより、成形上の凹み、歪みを低減し、均一の見栄えの成形物を作成することができる。
【００１６】
次に、図２を参照して、本実施形態に対応する図１の成形方法に従い、１次成形層から３次成形層までの成形手順について説明する。図２は、成型過程における成形型及び成形物の断面図である。図２（Ａ）と図２（Ｂ）とはＳ１０１における１次成形に対応する。図２（Ａ）に示すように、成形型（雄型２０１と雌型２０２、雄型、雌型の割当は逆であってもよい。）は、成型しようとする1次成形層に対応するキャビティ２０３を有しており、部品を形成するためにこのキャビティ２０３に対して不図示の主ランナー及び副ランナーを介して成形材料を流入させる。
【００１７】
そして、図２（Ｂ）に示すように、雄型２０１と雌型２０２とを用いた１次成形において、成形物２０４が作製される。当該成形物２０４は主ランナー、副ランナー、１次成形層で構成される。成形物２０４は、ポリスチレン（ＰＳ）で形成されている。主ランナーは部品の周囲を取り囲むように形成され、部品は、副ランナーを介して主ランナーと接続されることで、主ランナーに対して固定される。また、主ランナー及び副ランナーとは、成形型２０１及び２０２におけるキャビティ２０３に成形材料を流入させるための溝に対応している。Ｓ１０１の１次成形においては、成形型２０１及び２０２の主ランナー溝から副ランナー溝を介して、キャビティ２０３に成形材料を流入させ、キャビティ、主ランナー溝及び副ランナー溝のすべてに成形材料を充填させたのち、冷却することにより１次成形層を含む成形物２０４を作製することができる。
【００１８】
次にＳ１０２の２次成形において、１次成形層の上側を覆うように２次成形層が形成される。図２（Ｃ）及び図２（Ｄ）はＳ１０２における２次成形に対応する。図２（Ｃ）に示すように、成形型２１１と成形物２０４との間で、２次成形において形成しようとする２次成形層に対応するキャビティ２１２が形成され、このキャビティ２１２に対して不図示の主ランナー及び副ランナーを介して成形材料を流入させる。これにより図２（Ｄ）に示すように２次成形層を含む成形物２１３が形成され、１次成形層は、汎用ポリスチレン（GPPS）により少なくとも一部が覆われる。成形物２１３は、主ランナー、副ランナー、２次成形層で構成される。本実施形態では、主ランナーから副ランナーを介して１次成形層の上側の表面にＧＰＰＳを形成することにより、2次成形層が形成される。このとき、1次成形層の下側は、成形型２０２により支持されているので、成形物２０４の位置が変動することなく、2次成形層の厚みが所望の厚みとなるよう成形物２１３を正確に形成することが可能となる。
【００１９】
Ｓ１０２の２次成形においては、成形物２０４を成形型２１１及び２０２の内側に固定した後、主ランナー溝から副ランナー溝を介してキャビティ２１３に成形材料（ＧＰＰＳ）を流入させ、キャビティ２１３、主ランナー溝及び副ランナー溝のすべてに成形材料を充填させたのち、冷却することにより成形物２１３を成形物２０４の上側表面に形成することができる。
【００２０】
次にＳ１０３の３次成形において、１次成形層の残りの面を覆うように３次成形層が形成される。図２（Ｅ）及び図２（Ｆ）はＳ１０３における３次成形に対応する。成形物２２３は、成形物２０４の表面のうちで成形物２１３が形成されていない面を成形材料により覆うことにより形成される。３次成形においては、２次成形において使用した成形型２１１を下側に配置し、その上側に成形物２０４との間でキャビティ２２２を形成する成形型２２１を配置する。これにより、成形型２１１により成形物２１３が形成された成形物２０４の位置が固定され、３次成形においてキャビティ２２２の大きさに変動が生ずることを防止できる。このようにして、成形物２１３が形成された成形物２０４を成形型２２１及び２１１の内側に固定した後、主ランナー溝から副ランナー溝を介してキャビティ２２２に成形材料（ＧＰＰＳ）を流入させ、キャビティ、主ランナー溝及び副ランナー溝のすべてに成形材料を充填させたのち、冷却することにより成形物２２３を成形物２０４の表面に形成することができる。以上により、模型部品を成形することができる。
【００２１】
本実施形態では、1次成形層を覆う成形層を２回に分けて形成することとしているが、仮に１回の形成工程において形成しようとする場合、成形型のキャビティ内には成形物２０３がランナーのみで支持された状態で置かれることとなる。この状態で成形材料が流入してきた際には、その圧力により成形物２０３の位置が変動することでキャビティ２１２、２２２の大きさが変動し、結果として2次成形層及び３次成形層の厚みが予定していた厚みとならなくなってしまうおそれがある。厚みが変動すると、完成した模型部品の外観において所望の色味が得られないことになるため、歩留まりに影響する。これに対して、１次成形層を覆う成形層を２回に分けて形成することで歩留まりを改善することが可能となる。
【００２２】
次に図３を参照して、図１及び図２の製造方法に従って製造された模型部品の構造の一例を説明する。図３（Ａ）は、本実施形態に対応する成形工程により作製された、人形玩具の髪の毛の一部としての模型部品３００の一例を示す図である。模型部品３００の外側表面３０３は２次成形層と３次成形層で構成され、２次成形層及び３次成形層で覆われた１次成形層は、その一部が接続部３０１及びランナー３０２として外側に露出している。特に、ランナー３０２は、２次成形層及び３次成形層の表面に露出している。接続部３０１及びランナー３０２は、他の部品と接続するための接続部材として機能する。
【００２３】
図３（Ｂ）は模型部品３００を複数の成形層に分離した分離図である。図３（Ｂ）では、１次成形を２回に分けて実施する場合を示している。即ち、１次成形層は、第１成形層３１１と第２成形層３１２とで構成され、2次成形層は第３成形層３１３で構成され、３次成形層は第4成形層３１４で構成される。第１成形層３１１及び第２成形層３１２は模型部品の骨格部を形成し、第３成形層３１３及び第４成形層３１４は模型部品の外皮部を形成している。以下、簡単のために第１成形層３１１及び第２成形層３１２を「骨格部」と総称し、第３成形層３１３及び第４成形層３１４を「外皮部」と総称する。また、図３（Ｂ）では、骨格部の表面を骨格全体に隙間なく成形材料を充填させた構造としているが、部材の間に隙間を含む櫛状あるいは格子状の構造としてもよい。
【００２４】
本実施形態において、外皮部は、骨格部を覆うように形成され、その表面には凹凸が形成されており、この凹凸により厚みが調整される。外皮部は模型部品２００の表面を形成する成形層であって、模型の所望の外形に応じた表面を有している。模型部品２００は人形玩具の髪の毛の一部であるため、外皮部の表面形状により髪型が表現されている。
【００２５】
骨格部と外皮部との外側表面の形状を比較すると、互いに相似形である部分と、相似形でない部分とを含むように構成されている。相似形の部分は、外皮部の厚みが所定値に保たれる。一方、相似形でない部分は、相似形の部分とは異なる厚みを有するように形成されており、厚みの変化に応じて、外皮部を透過して外側から視覚的に認識できる骨格部の色が変化する。例えば、外皮部が半透明（例えば、クリアホワイト）素材で形成されており、骨格部が青色の素材で形成されている場合、クリアホワイトの外皮部を通して骨格部の青色が白濁して見えることになる。このとき、相似形の部分においては外皮部の厚みが一定に保たれるため、半透明の外皮部を通して見える骨格部の色の白濁の度合いは一定である。しかし、外皮部の厚みがより増してくると、白濁の度合いが強くなってくると共に、骨格部が存在しない部分においては外皮部のみの色が認識されることになる。また、外皮部の厚みが薄くなる場合には白濁の度合いが弱くなって青色が濃くなるため、厚みを変化させることにより濃淡を変化させることができる。さらに、骨格部の外形を先細るように構成することで、髪の毛の色が白濁した青色から白に徐々に変化していく様子を表現することができる。また、本実施形態では、外皮部から骨格部（の色）が視認可能な部分と、骨格部が含まれず骨格部（の色）が視認可能でない部分とが連続するように成形を行うことで、色の変化によるグラデーションを表現することができる。ここで、外皮部が２つ以上の成形層を合体して得られる場合に、少なくとも一方が当該構成を有していればよい。
【００２６】
次に、本実施形態に対応する模型部品３００の断面構造を説明する。図４（Ａ）は、図３（Ａ）模型部品３００のうち、外皮部の厚みが所定値に保たれている部分の断面を例示的に示す断面図である。図４（Ａ）の断面図に示すように、模型部品３００の外側の面を構成する外皮部は厚みＤ１を有しており、全体的な厚みは均一である。このように構成された部分では外側から模型部品３００を見た場合の色合いは均一に保たれる。一方、図４（Ｂ）は、図３（Ａ）模型部品３００のうち、外皮部の厚みが変化している部分の断面を例示的に示す断面図である。図４（Ｂ）の断面図に示すように、模型部品３００の外側の面を構成する外皮部の一部は厚みＤ１を有している一方で、他の部分では厚みＤ２、Ｄ３を有しており、厚みの大きさはＤ１＜Ｄ２＜Ｄ３となる。このように構成された部分では、厚みの大きさが大きい部分ほど骨格部の色に対する外皮部の色の混色の度合いが大きくなり、外側から模型部品３００を見た場合の色合いの変化が大きくなる。例えば、外皮部がクリアホワイトの素材で形成されている場合、厚みが大きくなるほど白濁の度合いが強くなり、Ｄ１よりもＤ２、Ｄ２よりもＤ３の方が骨格部の色味が薄くなる。
【００２７】
このようにして外皮部の厚みを部分的に、または、全体的に変化させることにより、模型部品３００を外側から見た場合の色合いを異ならせることができる。このとき、外皮部の厚みが連続的に厚くなる部分においては、骨格部の色に対する外皮部の色の混色の度合いが徐々に大きくなるため、最も濃く骨格部の色が透けて見える個所から、徐々に色が薄くなって外皮部自体の色に遷り変わるので、観察者は模型部品３００の表面においてグラデーションを観察することができる。
【００２８】
グラデーションの見え方は、外皮部の厚みの変化のさせかたの違いによって異ならせることが可能である。例えば、厚みの変化の度合いを、急峻とするか、あるいは、緩やかとするかによって、濃い色から薄い色への変化の仕方が異なるため、異なるグラデーション表現を実現することができる。また、厚みを減らす方向に変化させてもよい。これにより、薄い色から濃い色へ変化させることもできる。
【００２９】
以上のように、本実施形態によれば、安定した品質でグラデーションが施された模型部品及びその製造方法を提供することできる。
【図１】
2020082527.tif 000003
【図２】
2020082527.tif 000004
【図３】
2020082527.tif 000005
【図４】
2020082527.tif 000006
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
第１の色の第１の材料で形成された第１の層と、
前記第１の層の少なくとも一部を覆うように形成された第２の層であって、前記第１の色とは異なる第２の色の第２の材料からなる第２の層と
を有する模型部品であって、
前記第２の層は、前記第１の層が視認される第１の部分と、前記第１の部分と連続し前記第１の層が視認されない第２の部分とを含むように構成され、
前記第１の層は、前記第１の材料で形成された第１のランナーと接続され、前記第１のランナーは前記模型部品が他の模型部品と組み合わされて完成品を構成する場合に、前記他の模型部品との接続部材として用いられる、模型部品。
【請求項２】
前記第２の層は、第１の部分において厚みが異なる部分を含む、請求項１に記載の模型部品。
【請求項３】
前記第１の色の透明度は前記第２の色の透明度よりも低いことを特徴とする請求項１または２に記載の模型部品。
【請求項４】
前記第２の色は半透明であることを特徴とする請求項３に記載の模型部品。
【請求項５】
前記第１の色は不透明であり、前記第２の色は半透明であることを特徴とする請求項３に記載の模型部品。
【請求項６】
前記第１の色は半透明であり、前記第２の色は半透明であることを特徴とする請求項３に記載の模型部品。
【請求項７】
前記接続部材として用いられる前記第１のランナーは、前記第２の層の表面に露出していることを特徴とする請求項１から６のいずれか１項に記載の模型部品。
【請求項８】
前記第１の材料はポリスチレン（ＰＳ）であって、前記第２の材料は汎用ポリスチレン（ＧＰＰＳ）である、請求項１から７のいずれか１項に記載の模型部品。
【請求項９】
模型部品の製造方法であって、
第１の色の第１の材料を用いて第１の層を成形する第１の工程と、
前記第１の層の少なくとも一部を覆うように前記第１の色とは異なる第２の色の第２の材料を用いて第２の層を成形する第２の工程と、
前記第１の層の、前記第２の層が成形された面の反対側の面の少なくとも一部を覆うように、前記第２の色の第２の材料を用いて第３の層を成形する第３の工程と
を含み、
前記第２の工程では、前記第１の層の前記反対側の面が支持された状態で前記第２の層が成形され、
前記第３の工程では、前記第２の層が支持された状態で前記第３の層が成形され、
前記第２の層及び前記第３の層の少なくともいずれかは、前記第１の層が視認される第１の部分と、前記第１の部分と連続し前記第１の層が視認されない第２の部分とを含むように成形される、模型部品の製造方法。
【請求項１０】
前記第２の工程では、前記第１の工程において前記第１の層を成形するために使用された成形型を用いて前記第１の層の前記反対側の面が支持され、
前記第３の工程では、前記第２の工程において前記第２の層を成形するために使用された成形型を用いて前記第２の層が支持される、請求項９に記載の模型部品の製造方法。
【手続補正２】
【補正対象書類名】明細書
【補正対象項目名】０００６
【補正方法】変更
【補正の内容】
【０００６】
模型部品の発明は、
第１の色の第１の材料で形成された第１の層と、
前記第１の層の少なくとも一部を覆うように形成された第２の層であって、前記第１の色とは異なる第２の色の第２の材料からなる第２の層と
を有し、
前記第２の層は、前記第１の層が視認される第１の部分と、前記第１の部分と連続し前記第１の層が視認されない第２の部分とを含むように構成され、
前記第１の層は、前記第１の材料で形成された第１のランナーと接続され、前記第１のランナーは前記模型部品が他の模型部品と組み合わされて完成品を構成する場合に、前記他の模型部品との接続部材として用いられる。